(57)【要約】【課題】  台座栓を介して固定物をコンクリート壁に固定することにより、固定物を強固に保持させることができるボード状壁面の補強部材を提供することにある。【解決手段】  コンクリート壁に一端が埋設され、他端がボード状壁面方向に突出するもののボード状壁面からは突出しないアンカー部材と、柱状で、長さがコンクリート壁からボード状壁面までの距離と略同一で、端面の面積が固定物のボード状壁面との接着面と略同一か又はそれ以上で、アンカー部材が貫通するアンカー孔を有し、ボード状壁面に穿設された壁孔を塞ぐ台座栓と、コンクリート壁から起立するアンカー部材が台座栓のアンカー孔に貫通すると共に台座栓の一端がコンクリート壁に当接した状態で、台座栓のボート状壁面側の端面に埋没しつつ、台座栓をアンカー部材を介してコンクリート壁に挟持させる挟着部材とを備えることを特徴とする。【選択図】図１
2014163038.tif 000002
【特許請求の範囲】
【請求項１】
コンクリート壁の前面に該コンクリート壁との間に空隙をもって化粧板が配置されることにより形成されるボード状壁面に、重量物又は荷重の掛かる建築部材である固定物を固定するためのボード状壁面の補強部材において、
該コンクリート壁に一端が埋設され、他端が該ボード状壁面方向に突出するものの該ボード状壁面からは突出しないアンカー部材と、
柱状で、長さが該コンクリート壁から該ボード状壁面までの距離と略同一で、端面の面積が該固定物の該ボード状壁面との接着面と略同一か又はそれ以上で、該アンカー部材が貫通するアンカー孔を有し、該ボード状壁面に穿設された壁孔を塞ぐ台座栓と、
該コンクリート壁から起立する該アンカー部材が該台座栓の該アンカー孔に貫通すると共に該台座栓の一端が該コンクリート壁に当接した状態で、該台座栓の該ボート状壁面側の端面に埋没しつつ、該台座栓を該アンカー部材を介して該コンクリート壁に挟持させる挟着部材とを備え、
該台座栓に該固定物を固定することを特徴とするボード状壁面の補強部材。
【請求項２】
前記固定物を、前記台座栓に該固定物の前記ボード状壁面との前記接着面を当接させた状態で、該台座栓に固定することを特徴とする請求項１記載のボード状壁面の補強部材。
【請求項３】
前記台座栓が、木製であることを特徴とする請求項１又は請求項２記載のボード状壁面の補強部材。
【発明の詳細な説明】
【技術分野】
【０００１】
本発明は、コンクリート壁の前面に該コンクリート壁との間に空隙をもって化粧板が配置されることにより形成されるボード状壁面に、重量物又は荷重の掛かる建築部材を固定するためのボード状壁面の補強部材に関する。
【背景技術】
【０００２】
従来より、コンクリート壁の前面に該コンクリート壁との間に空隙をもって化粧板が配置されることにより形成されるボード状壁面構築の工法として、例えば、ＧＬ工法が広く採用されてきている。このＧＬ工法におけるボード状壁面は、石膏ボード等に代表されるような脆い材質のものが大半で、ボード状壁面に直接、重量物又は荷重の掛かる建築部材を固定することは困難である。
【０００３】
そこで、ボード状壁面に直接、重量物又は荷重の掛かる建築部材を固定する部材や工法が提案されている。例えば、特許文献１に示されるブラケット等の取り付け部の構造では、コンクリート壁にパイプナット体を不抜状態に埋設固定し、そのパイプナット体にアンカーボルト体を螺合してアンカーボルト体の自由端をコンクリート壁と隙間をおいて張設された化粧板を超えて突出させ、このアンカーボルト体にラウンドナットを螺合し、ラウンドナットを回動調整してラウンドナットの表面を化粧板とほぼ面一状態に位置決めし、このラウンドナットの表面側にブラケットを固着するようにしている。
【０００４】
また、特許文献２に示されるＧＬ工法対応アンカーは、アンカーと、アンカーの雌ねじ部に捩込む雄ねじ部を一端部に有して中空で他端部の内周面に雌ねじ部を有するソケットと、ソケットの雌ねじ部に捩込まれる軸部に直交して一体形成された座部とを有する座付スリーブとからなり、室内壁にソケットと同径の壁孔を穿設してドリル等にて躯体壁に躯体穴を穿設し、躯体穴にアンカーを挿入固定し、室内壁の壁孔からソケットを挿入してアンカーに捩込み、座付スリーブの座部で壁孔を塞ぎ、座付スリーブに器具等の取付用孔を合わせて木ねじを捩込んで器具を躯体壁に支持力高く支持固定する構成としている。
【先行技術文献】
【特許文献】
【０００５】
【特許文献１】実開平６−４０１６６号公報
【特許文献２】特開平８−２７９０４号公報
【発明の概要】
【発明が解決しようとする課題】
【０００６】
しかしながら、従来の固定方法では、コンクリート壁に埋設固定されボード状壁面に伸びるアンカーにより、荷重物等を固定させようとしているが、固定させようとする荷重物等のボード状壁面への当接する面積が広い場合、主な荷重はアンカーで受けられるものの、アンカーよりも大径な荷重物等の当接面が、ボード状壁面にも加重してしまい、荷重物等の周辺のボード状壁面を痛めてしまうことになる。
【０００７】
また、特許文献１では、化粧板に負担を与えないようにアンカーボルト体にスペーサーを嵌入して筒状のこのスペーサーを介してブラケットをアンカーボルト体に固定し、このブラケットを利用して荷重物等を取付けるようにしているが、筒状のスペーサーでは、荷重物に接する面積が小さく、かえって重量物等の局所に力が掛かり、スペーサーや重量物等自体を痛めてしまう可能性がある。
【０００８】
このように、従来の固定方法では、ボード状壁面だけでなく、固定するための部材や重量物をも保護しつつ、重量物等を強固に固定することが困難である。
【０００９】
さらに、特許文献１の固定方法では、使用しなくなって重量物等を取り除いた後に、ボード状壁面からアンカーボルト体が突出することになり、このアンカーボルト体も取り除いた後のボード状壁面には孔が残り、孔を塞ぐように壁紙を貼っただけでは、極めて脆弱な部分がボード状壁面に残ってしまうことになる。
【００１０】
本発明は、このような事情に鑑みてなされたもので、ボード状壁面に頼ることなく固定物の荷重を台座栓で受けた状態で、台座栓を介して固定物をコンクリート壁に固定することにより、固定物を強固に保持させることができるボード状壁面の補強部材を提供することにある。
【課題を解決するための手段】
【００１１】
請求項１記載のボード状壁面の補強部材は、コンクリート壁に一端が埋設され、他端がボード状壁面方向に突出するもののボード状壁面からは突出しないアンカー部材と、柱状で、長さがコンクリート壁からボード状壁面までの距離と略同一で、端面の面積が固定物のボード状壁面との接着面と略同一か又はそれ以上で、アンカー部材が貫通するアンカー孔を有し、ボード状壁面に穿設された壁孔を塞ぐ台座栓と、コンクリート壁から起立するアンカー部材が台座栓のアンカー孔に貫通すると共に台座栓の一端がコンクリート壁に当接した状態で、台座栓のボート状壁面側の端面に埋没しつつ、台座栓をアンカー部材を介してコンクリート壁に挟持させる挟着部材とを備え、台座栓に固定物を固定することを特徴とする。
【００１２】
請求項２記載のボード状壁面の補強部材は、固定物を、台座栓に固定物のボード状壁面との接着面を当接させた状態で、台座栓に固定することを特徴とする。
【００１３】
請求項３記載のボード状壁面の補強部材は、台座栓が、木製であることを特徴とする。
【発明の効果】
【００１４】
請求項１の発明によれば、柱状の台座栓が、コンクリート壁にアンカー部材を介して固定されると共にボード状壁面に穿設された壁孔を塞いでおり、端面の面積が固定物のボード状壁面との接着面と略同一か又はそれ以上で、ボード状壁面に頼ることなく固定物の荷重を台座栓で受けた状態で、台座栓を介して固定物をコンクリート壁に固定することから、固定物を強固に保持させることができる。
【００１５】
請求項２の発明によれば、固定物を、台座栓に固定物のボード状壁面との接着面を当接させた状態で、固定物の荷重を台座栓のみで受けて、台座栓を介して固定物をコンクリート壁に固定することから、固定物を強固に保持させることができる。
【００１６】
請求項３の発明によれば、台座栓が、加工の容易な木製であることから、固定物のボード状壁面との接着面の形状や大きさに即した台座栓を容易に調達することができる。
【図面の簡単な説明】
【００１７】
【図１】本発明に係るボード状壁面の補強部材の施工の一例を示す説明図である。
【図２】同ボード状壁面の補強部材の施工手順を示す説明図である。
【図３】同ボード状壁面の補強部材の施工手順を示す説明図である。
【図４】同ボード状壁面の補強部材の施工手順を示す説明図である。
【図５】同ボード状壁面の補強部材の施工手順を示す説明図である。
【図６】同ボード状壁面の補強部材の施工手順を示す説明図である。
【図７】同ボード状壁面の補強部材の施工手順を示す説明図である。
【図８】同ボード状壁面の補強部材の施工手順を示す説明図である。
【図９】同ボード状壁面の補強部材の施工手順を示す説明図である。
【図１０】同ボード状壁面の補強部材の施工手順を示す説明図である。
【図１１】同ボード状壁面の補強部材の施工手順を示す説明図である。
【図１２】同ボード状壁面の補強部材の施工手順を示す説明図である。
【図１３】同ボード状壁面の補強部材の施工手順を示す説明図である。
【図１４】同ボード状壁面の補強部材の施工手順を示す説明図である。
【発明を実施するための形態】
【００１８】
以下、本発明の形態について図面を参照しながら具体的に説明する。図１は、本発明に係るボード状壁面の補強部材の施工の一例を示す説明図である。図２〜図１４は、同ボード状壁面の補強部材の施工手順を示す説明図である。
【００１９】
本発明に係るボード状壁面４ａの補強部材は、コンクリート壁２の前面にコンクリート壁２との間に空隙をもって化粧板である石膏ボード４が配置されることにより形成されるボード状壁面４ａに、重量物又は荷重の掛かる建築部材である固定物（４０）を固定するためのものである。
【００２０】
ボード状壁面４ａ自体の構造は、コンクリート壁２のコンクリート壁面２ａに石膏系接着剤であるＧＬボンド６を団子状に塗り付け、その上に石膏ボード４を直接圧着して形成している。このような構造のため、ボード状壁面４ａは、石膏ボード４自体が脆くて弱いことに加え、コンクリート壁２への固定という意味でも、弱い構造になっている。
【００２１】
本実施の形態におけるボード状壁面４ａの補強部材は、アンカー部材であるアンカーボルト２０、台座栓１０、挟着部材であるナット２４から構成されている。アンカーボルト２０は、金属製の肉厚の円筒状のボトル材で、先端部が四方に割れた鍔部２０ｂとなっており、後端部の周囲には、ネジ山２０ａが螺刻されている。そして、アンカーボルト２０の後端部から釘状の打込ピン２２が挿入されている。この打込ピン２２をアンカーボルト２０の後端部に打ち込むことで、鍔部２０ｂが外周より外側に広がることになる。
【００２２】
尚、アンカーボルト２０の太さは、固定物（４０）の荷重によって適宜定めることになるが、一般的にはＭ６〜Ｍ２０程度である。また、アンカーボルト２０の長さは、コンクリート壁２に一端である先端部が埋設され、他端である後端部がボード状壁面４ａ方向に突出したとき、ボード状壁面４ａからは突出しない長さである。
【００２３】
台座栓１０は、柱状で、長さがコンクリート壁２のコンクリート壁面２ａからボード状壁面４ａまでの距離と略同一で、端面の面積が固定物（４０）のボード状壁面４ａとの接着面と略同一か又はそれ以上である。尚、本実施の形態における台座栓１０の端面（１０ａ，１０ｂ）の面積及び形状の詳細は後述するが、固定物（４０）によって適宜定められるもので、本実施の形態のものに限定されるものではない。
【００２４】
台座栓１０には、台座栓１０のコンクリート壁面２ａに当接することとなるコンクリート壁側端面１０ａから固定物（４０）が当接することとなる固定物側端面１０ｂに抜け、アンカーボルト２０が貫通可能なアンカー孔１０ｃが、穿設されている。また、アンカー孔１０ｃの固定物側端面１０ｂは、後述する挟着部材であるナット２４を固定物側端面１０ｂから埋没して設けられるように穿設されたナット孔１０ｄが穿設されている。
【００２５】
このように構成されるボード状壁面４ａの補強部材を用いたボード状壁面４ａへの固定物（４０）の固定方法を説明する。尚、本実施の形態で説明するにあたって、手摺り４０を固定物の一例として説明する。
【００２６】
まず、図２に示すように、まず、石膏ボード４の手摺り４０を取り付けたい位置に、壁孔４ｂを穿設する。この壁孔４ｂの孔径は、台座栓１０の径よりもわずかに大きい程度にする。尚、本実施の形態で説明する台座栓１０の径及び形状は、固定物である手摺り４０に依存している。具体的には、手摺り４０のアーム４２をボード状壁面４ａに固定するためにボード状壁面４ａに当接させるアーム基台４４が円形をしていることから、台座栓１０の固定物側端面１０ｂの形状が円形になるように、台座栓１０の形状として円柱形を選択する。また、台座栓１０の径は、このアーム基台４４の径と同一か又は少し大きくするようにする。尚、本実施の形態での説明では、台座栓１０のアンカー孔１０ｃが、台座栓１０の軸中心に穿設された台座栓１０を用いるが、これも必ずしも軸中心にアンカー孔１０ｃが穿設されているものを使用する必要はない。
【００２７】
次に、図３〜図５に示すように、石膏ボード４の壁孔４ｂの中心に相当する位置のコンクリート壁面２ａに、コンクリート壁孔２ｂを穿設する。具体的には、図４に示すように、ドリルＤで、コンクリート壁孔２ｂを穿設するわけだが、まずコンクリート壁孔２ｂの径（ドリルＤの径）は、アンカーボルト２０を挿嵌させることが可能で、且つ緩くない太さにする。また、コンクリート壁孔２ｂの深さは、アンカーボルト２０を挿嵌させた状態で、アンカーボルト２０の後端部が、ボード状壁面４ａから突出しない深さとする。尚、ドリルＤでコンクリート壁面２ａにコンクリート壁孔２ｂを穿設した後、コンクリート壁孔２ｂ内の穿設屑を除去し、所定の深さが確保できるようにする（図５参照）。
【００２８】
次に、図６及び図７に示すように、アンカーボルト２０を、鍔部２０ｂがある方をコンクリート壁孔２ｂ側として、コンクリート壁孔２ｂに挿嵌する。このとき、アンカーボルト２０のネジ山２０ａがある側の後端部が、ボード状壁面４ａから突出しないように（後述する打ち込まれた打込ピン２２も含めボード状壁面４ａから突出しないように）する。尚、アンカーボルト２０をコンクリート壁２に埋設させるにあたり、より固定の強度を増させるために、コンクリート壁孔２ｂに接着剤を注入した上でアンカーボルト２０を挿嵌するようにしてもよい。
【００２９】
次に、図７に示す状態でアンカーボルト２０の打込ピン２２を強打して押し込むことにより、図８に示すように、アンカーボルト２０の鍔部２０ｂが、外径方向に広がり、アンカーボルト２０が楔状にコンクリート壁２に強固に固着されることになる。
【００３０】
次に、図９に示すように、まず、アンカーボルト２０が、台座栓１０のアンカー孔１０ｃに入るように、台座栓１０を石膏ボード４の壁孔４ｂに挿入していく。そして、台座栓１０のコンクリート壁側端面１０ａがコンクリート壁面２ａに当接した状態で、アンカーボルト２０のネジ山２０ａが台座栓１０のナット孔１０ｄから突出するので、このネジ山２０ａに、ナット２４を螺着する。ナット２４を、ナット孔１０ｄの底に密着するまで螺着することにより（図１０参照）、台座栓１０が、アンカーボルト２０を介してコンクリート壁２とナット２４との間に挟持させることになる。この時、ナット２４は、ナット孔１０ｄに埋没し、台座栓１０の固定物側端面１０ｂには、突出しない。
【００３１】
このように、台座栓１０が、石膏ボード４の壁孔４ｂを塞ぐ形で、コンクリート壁２に固定され、台座栓１０の固定物側端面１０ｂとボード状壁面４ａとが、面高さが同一の同一面を構成することになる。尚、台座栓１０をコンクリート壁２に固定するにあたり、コンクリート壁面２ａと台座栓１０のコンクリート壁側端面１０ａに接着剤を塗布するようにしてもよい。また、台座栓１０と石膏ボード４の壁孔４ｂとの間に隙間がある場合には、コーキング剤等で隙間を埋めるようにしてもよい。
【００３２】
そして、これは必要に応じてであるが、図１１及び図１２に示すように、台座栓１０からコンクリート壁２に貫通するビス孔１０ｅを穿設し、そのビス孔１０ｅにビス３０を螺挿させる。これにより、台座栓１０が、より強固にコンクリート壁２に固定されることになる。
【００３３】
次に、図１３に示すように、台座栓１０の固定物側端面１０ｂに、ボルト４６を螺挿する固定孔１０ｆを穿設する。そして、アーム４２のアーム基台４４を、固定物側端面１０ｂ密着させ、アーム基台４４の上からボルト４６を固定孔１０ｆに螺挿し、アーム４２を台座栓１０に固定させる。アーム基台４４を覆うように基台カバー４８を嵌めることにより、図１４にも示すように、ボード状壁面４ａに固定物である手摺り４０が固定される。
【００３４】
以上のようなボード状壁面４ａの補強部材によれば、柱状の台座栓１０が、コンクリート壁２にアンカー部材であるアンカーボルト２０を介して固定されると共にボード状壁面４ａに穿設された壁孔４ｂを塞いでおり、端面（コンクリート壁側端面１０ａ、固定物側端面１０ｂ）の面積が固定物のボード状壁面との接着面と略同一か又はそれ以上で、ボード状壁面４ａに頼ることなく固定物（４０）の荷重を台座栓１０で受けた状態で、台座栓１０を介して固定物（４０）をコンクリート壁２に固定することから、固定物（４０）を強固に保持させることができる。
【００３５】
また、台座栓１０の長さがコンクリート壁２からボード状壁面４ａまでの距離と略同一であることから、ボード状壁面４ａと台座栓１０の固定物側端面１０ｂの高さが略同一で段差が無く、固定物（４０）を台座栓１０に固定するにあたり、ボード状壁面４ａが障害になることはなく、固定物（４０）の固定の作業が容易である。
【００３６】
さらに、ボード状壁面４ａと台座栓１０の固定物側端面１０ｂの高さが略同一で段差が無いことから、固定物（４０）を取り外した後に、壁孔４ｂを塞ぐように壁紙を貼れば、塞ぐように貼った壁紙の裏側が台座栓１０で補強された状態となり、且つ平らに壁紙を貼ることができ、強度や見た目を損なうこと無く壁孔４ｂを塞ぐように壁紙を貼ることができる。
【００３７】
さらに、台座栓１０は、柱状の中実であり、端面（コンクリート壁側端面１０ａ、固定物側端面１０ｂ）の全体が、コンクリート壁２及び固定物（４０）の接着面に接していることから、コンクリート壁２及び固定物（４０）の接着面に局所的に荷重が掛かることなく固定物（４０）を強固に保持させることができる。
【００３８】
さらに、固定物（４０）を、台座栓１０に固定物（４０）のボード状壁面４ａとの接着面を当接させた状態で、固定物（４０）の荷重を台座栓１０のみで受けて、台座栓１０を介して固定物（４０）をコンクリート壁２に固定することから、固定物（４０）を強固に保持させることができる。
【００３９】
さらに、台座栓１０を加工の容易な木製で作ることで、固定物（４０）のボード状壁面４ａとの接着面の形状や大きさに即した台座栓１０を容易に調達することができる。尚、台座栓１０の材質は、木材が好ましいが、金属や合成樹脂のような他の材質であってもかまわない。また、木材の中でも、特に、合板を貼り合わせたものを使用することにより、薄い板の積み重ねであるため台座栓１０の高さを調整しやすく、強度的にも十分で、各種のボード状壁面の補強部材として、使用しやすい。
【００４０】
尚、本実施の形態で説明したアンカー部材であるアンカーボルト２０は、アンカー部材の一例であって、挟着部材とを用いて、台座栓１０をコンクリート壁２に強固に挟着させることができる構造のものであればよい。
【００４１】
また、本実施の形態では、固定物として手摺り４０を用いて説明したが、固定できる固定物はこれに限られるものではなく、ボード状壁面４ａに直接固定したいものは、重量物又は荷重の掛かる建築部材に限らず、すべて固定物といえる。
【００４２】
さらに、ボード状壁面４ａを構成する化粧板は、石膏ボード４に限られるものではなく、例えば浴室の壁面を構成する樹脂製やタイル製等の化粧板であってもよく、化粧板自体では固定物を保持できないような壁材は、すべて該当する。
【産業上の利用可能性】
【００４３】
以上のように、本発明によれば、ボード状壁面に頼ることなく固定物の荷重を台座栓で受けた状態で、台座栓を介して固定物をコンクリート壁に固定することにより、固定物を強固に保持させることができるボード状壁面の補強部材を提供することができる。
【符号の説明】
【００４４】
２・・・・・コンクリート壁
２ａ・・・・コンクリート壁面
２ｂ・・・・コンクリート壁孔
４・・・・・石膏ボード
４ａ・・・・ボード状壁面
４ｂ・・・・壁孔
６・・・・・ＧＬボンド
１０・・・・台座栓
１０ａ・・・コンクリート壁側端面
１０ｂ・・・固定物側端面
１０ｃ・・・アンカー孔
１０ｄ・・・ナット孔
１０ｅ・・・ビス孔
１０ｆ・・・固定孔
２０・・・・アンカーボルト
２０ａ・・・ネジ山
２０ｂ・・・鍔部
２２・・・・打込ピン
２４・・・・ナット
３０・・・・ビス
４０・・・・手摺り
４２・・・・アーム
４４・・・・アーム基台
４６・・・・ボルト
４８・・・・基台カバー
【図１】
2014163038.tif 000003
【図２】
2014163038.tif 000004
【図３】
2014163038.tif 000005
【図４】
2014163038.tif 000006
【図５】
2014163038.tif 000007
【図６】
2014163038.tif 000008
【図７】
2014163038.tif 000009
【図８】
2014163038.tif 000010
【図９】
2014163038.tif 000011
【図１０】
2014163038.tif 000012
【図１１】
2014163038.tif 000013
【図１２】
2014163038.tif 000014
【図１３】
2014163038.tif 000015
【図１４】
2014163038.tif 000016